(57)【要約】      （修正有）【課題】駆動軸に防水効果を有する排水モーターを提供する。【解決手段】駆動軸に防水効果を有する排水モーター１０はハウジング１１、モーター２１、排水羽根３１および水遮断キャップ４１を備える。ハウジングは底部に排水チャンバー１３を有する。モーターは駆動軸２５を有する。排水羽根は排水チャンバー内に位置し、心棒３３を有する。心棒の先端部は上方の排水チャンバーに露出する。駆動軸は心棒に差し込まれる。心棒は第一端面および第一密着部位を有する。水遮断キャップは周縁から伸びて形成された環状翼部４３と、開口部が下向きの第一筒状スリーブ４５とを有する。第一筒状スリーブは第一底面および第一周壁面を有する。駆動軸は水遮断キャップを貫通する。第一筒状スリーブは第一底面が心棒の第一端面に当接し、第一周壁面が心棒の第一密着部位に密着する。上述した技術手段により、水がモーターの駆動軸に沿ってモーターに流入することを抑制できる。【選択図】図２
0003215477.tif 000002
【実用新案登録請求の範囲】
【請求項１】
ハウジング、モーター、排水羽根および水遮断キャップを備え、
前記ハウジングは、底部に位置する排水チャンバーと、前記排水チャンバーの頂部に形成された第一穿孔とを有し、
前記モーターは、前記排水チャンバーの上方に位置するように前記ハウジングに装着され、底部に第二穿孔および駆動軸を有し、前記駆動軸は末端部が前記第二穿孔を貫通し、
前記排水羽根は、前記排水チャンバー内に位置し、心棒を有し、前記心棒の先端部は上方の前記排水チャンバーに露出し、前記駆動軸の前記末端部は前記心棒の先端部に差し込まれ、前記心棒は前記先端部に形成された第一端面と、前記第一端面から前記心棒のボディーの周面から下方の所定距離まで伸びて形成された第一密着部位とを有し、
前記水遮断キャップは、頂部の周縁から伸びて形成された環状翼部と、開口部が下向きの第一筒状スリーブとを有し、前記第一筒状スリーブは前記心棒の前記先端部に被さり、第一底面、第一周壁面および前記第一底面に形成された第三穿孔を有し、前記第一底面は前記心棒の前記第一端面に当接し、前記第一周壁面は前記心棒の前記第一密着部位に密着し、
前記水遮断キャップは、前記駆動軸が前記第一筒状スリーブの前記第三穿孔を貫通することによって前記ハウジングの前記第一穿孔および前記排水羽根の前記心棒の間に位置付けられることを特徴とする、
駆動軸に防水効果を有する排水モーター。
【請求項２】
前記水遮断キャップは、頂部に突出した第二筒状スリーブを有し、前記第二筒状スリーブは前記駆動軸のボディーの一部分に被さることを特徴とする請求項１に記載の駆動軸に防水効果を有する排水モーター。
【請求項３】
前記心棒は先端部に突出したサブ心棒を有し、前記モーターの前記駆動軸は前記サブ心棒に差し込まれ、前記サブ心棒は頂部に形成された第二端面と、前記第二端面から前記サブ心棒のボディーの周面から下方の所定の距離まで伸びて形成された第二密着部位とを有し、前記水遮断キャップの前記第一筒状スリーブにおいて、前記第一底面は中央に凹んで形成された凹状溝部を有し、前記凹状溝部の口径は前記第一筒状スリーブの口径より小さく、前記凹状溝部は前記サブ心棒に嵌合され、第二底面および第二周壁面を有し、前記第二底面は前記サブ心棒の前記第二端面に当接し、前記第二周壁面は前記サブ心棒の前記第二密着部位に密着することを特徴とする請求項１に記載の駆動軸に防水効果を有する排水モーター。
【請求項４】
さらに防水性接着剤を備え、前記防水性接着剤は前記第一筒状スリーブの前記第一周壁面と前記心棒の前記第一密着部位との間に塗布されることを特徴とする請求項１に記載の駆動軸に防水効果を有する排水モーター。
【考案の詳細な説明】
【技術分野】
【０００１】
本考案は排水モーターに関し、詳しくは駆動軸に防水効果を有する排水モーターに関するものである。
【背景技術】
【０００２】
周知の冷房システムに使用される排水モーターの運転を停止させる際、排水モーター内に残留した水は排水チャンバーへ回流する。回流に伴って生じた衝撃力が大き過ぎれば水飛沫が生じ、モーターに流入し、モーターを損壊させることが起こりやすい。
【０００３】
特許文献１は電動モーター内水浸入を防止する防水性を有するモーターを掲示している。該案において、ポンプ室５２は開口部にキャップ３０および導流板１５を有する。導流板１５はシャフト２１０の上端の凹状溝２１２に嵌合される。導流板１５はモーターへ飛び跳ねる水飛沫を遮断し、水がモーターに浸入し、モーターを損壊させることを避けることができる。
【０００４】
特許文献２はろ過機能を有する排水ポンプを掲示している。該案において、排水ポンプはモーターシャフト７に水遮断リング５を有するため、ポンプチャンバー３の上の開口部から水が電機６に流入することを抑制し、モーターへ飛び跳ねる水を遮断し、水がモーターに浸入し、モーターを損壊させることを避けることができる。
【０００５】
特許文献１において、導流板は嵌合方式によって羽根の軸の上端部に連結されるため、水は導流板と凹状溝の間の隙間を流れてモーターの駆動軸に沿ってモーターに流入する。
【０００６】
特許文献２において、水遮断リングはモーターシャフトに装着されるため、水は水遮断リングとモーターシャフトとの間の隙間を流れてモーターシャフトに沿ってモーターに流入する。
【０００７】
上述したとおり、水がモーターの駆動軸に沿ってモーターに流入することを抑制する面では、特許文献１および特許文献２には改善の余地がある。
【先行技術文献】
【特許文献】
【０００８】
【特許文献１】日本ＪＰ２００９０２６４３１号公報
【特許文献２】中国ＣＮ２６５４９１５（Ｙ）号公報
【考案の概要】
【考案が解決しようとする課題】
【０００９】
本考案は、水がモーターの駆動軸に沿ってモーターに流入することを抑制できる防水効果を駆動軸に有する排水モーターを提供することを主な目的とする。
【課題を解決するための手段】
【００１０】
上述した課題を解決するため、駆動軸に防水効果を有する排水モーターはハウジング、モーター、排水羽根および水遮断キャップを備える。ハウジングは底部に位置する排水チャンバーと、排水チャンバーの頂部に形成された第一穿孔とを有する。モーターは排水チャンバーの上方に位置するようにハウジングに装着され、底部に第二穿孔および駆動軸を有する。駆動軸は末端部が第二穿孔を貫通する。その特徴は下記のとおりである。排水羽根は排水チャンバー内に位置し、心棒を有する。心棒の先端部は上方の排水チャンバーに露出する。駆動軸の末端部は心棒の先端部に差し込まれる。心棒は先端部に形成された第一端面と、第一端面から心棒のボディーの周面から下方の所定距離まで伸びて形成された第一密着部位とを有する。水遮断キャップは頂部の周縁から伸びて形成された環状翼部と、開口部が下向きの第一筒状スリーブとを有する。第一筒状スリーブは第一底面、第一周壁面および第一底面に形成された第三穿孔を有する。駆動軸は第一筒状スリーブの第三穿孔を貫通することによってハウジングの第一穿孔および排水羽根の心棒の間に水遮断キャップを位置させる。第一筒状スリーブは心棒の一端に被さり、第一底面が心棒の第一端面に当接し、第一周壁面が心棒の第一密着部位に密着する。
【００１１】
上述した技術手段により、本考案は水がモーターの駆動軸に沿ってモーターに流入することを抑制できる。
【図面の簡単な説明】
【００１２】
【図１】本考案の第１実施形態による駆動軸に防水効果を有する排水モーターを示す斜視図である。
【図２】本考案の第１実施形態による駆動軸に防水効果を有する排水モーターの一部分を示す断面図である。
【図３】本考案の第１実施形態による駆動軸に防水効果を有する排水モーターの一部分を示す拡大図である。
【図４】本考案の第２実施形態による駆動軸に防水効果を有する排水モーターの一部分を示す断面図である。
【図５】本考案の第３実施形態による駆動軸に防水効果を有する排水モーターの一部分を示す断面図である。
【図６】本考案の第３実施形態による駆動軸に防水効果を有する排水モーターの一部分を示す拡大図である。
【考案を実施するための形態】
【００１３】
以下、本考案による駆動軸に防水効果を有する排水モーターを図面に基づいて説明する。
【００１４】
（第１実施形態）
図１から図３に示すように、本考案の第１実施形態による駆動軸に防水効果を有する排水モーター１０は、ハウジング１１、モーター２１、排水羽根３１および水遮断キャップ４１から構成される。
【００１５】
ハウジング１１は、底部に位置する排水チャンバー１３と、排水チャンバー１３の頂部に形成された第一穿孔１５とを有する。
【００１６】
モーター２１は、排水チャンバー１３の上方に位置するようにハウジング１１に装着され、底部に第二穿孔２３および駆動軸２５を有する。駆動軸２５は末端部が第二穿孔２３を貫通する。
【００１７】
排水羽根３１は、排水チャンバー１３内に位置し、心棒３３を有する。心棒３３の先端部は上方の排水チャンバー１３に露出する。駆動軸２５の末端部は心棒３３の先端部に差し込まれる。心棒３３は先端部に形成された第一端面３３１と、第一端面３３１から心棒３３のボディーの周面から下方の所定の距離まで伸びて形成された第一密着部位３３３とを有する。
【００１８】
水遮断キャップ４１は、頂部の周縁から伸びて形成された環状翼部４３と、開口部が下向きの第一筒状スリーブ４５とを有する。第一筒状スリーブ４５は内面に第一底面４６、第一周壁面４７および第一底面４６に形成された第三穿孔４６１を有する。
駆動軸２５は第一筒状スリーブ４５の第三穿孔４６１に差し込まれるため、水遮断キャップ４１はハウジング１１の第一穿孔１５および排水羽根３１の心棒３３の間に位置付けられる。第一筒状スリーブ４５は心棒３３の先端部に被さり、第一底面４６が心棒３３の第一端面３３１に当接し、第一周壁面４７が心棒３３の第一密着部位３３３に密着する。
上述した技術手段により、水がモーター２１の駆動軸２５に沿ってモーター２１に流入することが抑制される。
【００１９】
上述した構造により、本考案は水がモーター２１の駆動軸２５に沿ってモーター２１に流入することを抑制できる。
【００２０】
本実施形態はさらに防水性接着剤５１を備える。防水性接着剤５１は第一筒状スリーブ４５の第一周壁面４７と心棒３３の第一密着部位３３３との間に塗布される。第一筒状スリーブ４５の第一周壁面４７と心棒３３の第一密着部位３３３との密着度を増大させることと、水がモーター２１の駆動軸２５に沿ってモーター２１に流入することを抑制する効果を向上させることがその目的である。
本実施形態において、防水性接着剤５１は上述に限らず、第一筒状スリーブ４５の第一底面４６と心棒３３の第一端面３３１（図中未表示）に追加塗布されてもよいし、構造の異なる第一筒状スリーブ４５および心棒３３の一端の嵌合箇所（図中未表示）に塗布されてもよい。従って、防水性接着剤５１の使用状態は本実施形態に限らない。
一方、第一筒状スリーブ４５が心棒３３の先端部に被さる密着度が十分であれば防水性接着剤５１が必要でなくなるため、防水性接着剤５１は本実施形態において必須の部品ではない。
【００２１】
以上は本考案の第１実施形態の構造についての説明である。続いて、本考案の第１実施形態の使用状態について説明を進める。
【００２２】
図１から図３に示すように、排水作業を行う際、排水羽根３１はモーター２１の駆動軸２５の駆動力によって回転し、排水チャンバー１３内の水を排水管から排出する。水逆流の状況および排水管の構造はこの領域において熟知されるため、図面に表示して別に説明することを省略する。
【００２３】
排水作業を停止させる際、モーター２１の回転が停止すると排水羽根３１の受けた駆動軸２５の駆動力が中断される。このとき排水管内に残留した水は排水チャンバー１３に回流し、排水チャンバー１３に存在した水を上方のハウジング１１の第一穿孔１５からモーター２１へ放射させる。
第一筒状スリーブ４５は第一底面４６が心棒３３の第一端面３３１に当接し、第一周壁面４７が心棒３３の第一密着部位３３３に密着するため、モーター２１へ放射した水は第一筒状スリーブ４５および心棒３３の先端部との間の駆動軸２５のボディーに沿ってモーター２１に流入することが難しく、一部分が環状翼部４３によって遮断される。
上述したとおり、本実施形態は第一底面４６を心棒３３の第一端面３３１に当接させ、第一周壁面４７を心棒３３の第一密着部位３３３に密着させることによってモーター２１内への水浸入を抑制するだけでなく、環状翼部４３によってモーター２１内への水浸入を抑制するため、本考案は水がモーター２１の駆動軸２５に沿ってモーター２１に流入することを確実に抑制できる。
【００２４】
上述したとおり、本考案による駆動軸に防水効果を有する排水モーター１０は水がモーター２１の駆動軸２５に沿ってモーター２１に流入することを抑制できる。
【００２５】
（第２実施形態）
図４に示したのは本考案の第２実施形態による駆動軸に防水効果を有する排水モーター１０’である。第１実施形態との違いは次のとおりである。
【００２６】
水遮断キャップ４１’は頂部に突出した第二筒状スリーブ４７’を有する。第二筒状スリーブ４７’は駆動軸２５’のボディーの一部分に被さる。水遮断キャップ４１’の頂部に位置する駆動軸２５’へ水が流動する際、第二筒状スリーブ４７’は駆動軸２５’のボディーの一部分に被さるため、駆動軸２５’を水から隔離し、水を駆動軸２５’に付着させることができる。上述したとおり、第２実施形態は水がモーター２１’の駆動軸２５’に沿ってモーター２１’に流入することを抑制できる。
【００２７】
第２実施形態のほかの構造および達成できる効果は第１実施形態と同じであるため、詳細な説明を省略する。
【００２８】
（第３実施形態）
図５および図６に示したのは本考案の第３実施形態による駆動軸に防水効果を有する排水モーター１０”である。第２実施形態との違いは次のとおりである。
【００２９】
心棒３３”は先端部に突出したサブ心棒６１”を有する。駆動軸２５”はサブ心棒６１”に差し込まれる。サブ心棒６１”は頂部に形成された第二端面６１１”と、第二端面６１１”からサブ心棒６１”のボディーの周面から下方の所定の距離まで伸びて形成された第二密着部位６１３”とを有する。第一筒状スリーブ４５”において、第一底面４６”は中央に凹んで形成された凹状溝部４８”を有する。凹状溝部４８”の口径は第一筒状スリーブ４５”の口径より小さい。凹状溝部４８”はサブ心棒６１”に嵌合され、第二底面４８１”および第二周壁面４８３”を有する。第二底面４８１”はサブ心棒６１”の第二端面６１１”に当接する。第二周壁面４８３”はサブ心棒６１”の第二密着部位６１３”に密着する。
上述したとおり、第一筒状スリーブ４５”において、凹状溝部４８”は第二底面４８１”がサブ心棒６１”の第二端面６１１”に当接し、第二周壁面４８３”がサブ心棒６１”の第二密着部位６１３”に密着するため、水がモーター２１”の駆動軸２５”に沿ってモーター２１”に流入することを抑制できる。
【００３０】
上述をまとめると、凹状溝部４８”の第二底面４８１”をサブ心棒６１”の第二端面６１１”に当接させ、凹状溝部４８”の第二周壁面４８３”をサブ心棒６１”の第二密着部位６１３”に密着させるという技術的特徴により、本考案は水がモーター２１”の駆動軸２５”に沿ってモーター２１”に流入することを抑制できる。
【００３１】
第３実施形態のほかの構造および達成できる効果は第２実施形態と同じであるため、詳細な説明を省略する。
【符号の説明】
【００３２】
１０  駆動軸に防水効果を有する排水モーター  
１１  ハウジング  
１３  排水チャンバー  
１５  第一穿孔  
２１  モーター  
２３  第二穿孔  
２５  駆動軸  
３１  排水羽根  
３３  心棒  
３３１  第一端面  
３３３  第一密着部位  
４１  水遮断キャップ  
４３  環状翼部  
４５  第一筒状スリーブ  
４６  第一底面  
４６１  第三穿孔  
４７  第一周壁面  
５１  防水性接着剤  
１０’  駆動軸に防水効果を有する排水モーター  
２１’  モーター  
２５’  駆動軸  
４１’  水遮断キャップ  
４７’  第二筒状スリーブ
１０”  駆動軸に防水効果を有する排水モーター  
２１”  モーター  
２５”  駆動軸  
３３”  心棒  
４５”  第一筒状スリーブ  
４６”  第一底面  
４８”  凹状溝部  
４８１”  第二底面  
４８３”  第二周壁面  
６１”  サブ心棒  
６１１”  第二端面  
６１３”  第二密着部位
【図１】
0003215477.tif 000003
【図２】
0003215477.tif 000004
【図３】
0003215477.tif 000005
【図４】
0003215477.tif 000006
【図５】
0003215477.tif 000007
【図６】
0003215477.tif 000008